(57)【要約】【課題】  予め設定された指定時間以内に確定された検査結果を必ず得ることができる多重検査データ処理システムを提供する。【解決手段】  検査機関等に設置されている多重検査データ処理システム２は、医療機関において採取された検体の検査指示情報を取得し、取得された検査指示情報に含まれている検査項目及び該検査項目と相関を有する全ての検査項目についての検査結果を取得する。次に、取得された各検査項目の検査結果をそれぞれ比較して依頼された検査の検査結果を確定し、確定された検査結果に基づいて検査結果を報告するための報告データを作成する。そして、作成された報告データをネットワーク４を介して医療機関に設置されている医療機関システム６ａに送信することにより、依頼された検査の検査結果を報告する。【選択図】  図１
2005098850.tif 000002
【特許請求の範囲】
【請求項１】
検体の検査内容を示す検査指示情報を取得する検査指示情報取得工程と、
前記検査指示情報取得工程において取得された検査指示情報に基づいて検体を分割する分割工程と、
前記分割工程において分割された検体を用いて、前記検査指示情報に含まれる検査項目と相関を有する全ての検査項目について多重に検査を行う検査工程と、
前記検査工程において多重に行われた前記検査項目の各々の検査結果をそれぞれ比較することにより検査結果を確定する検査結果確定工程と、
前記検査結果確定工程において確定された検査結果に基づいて、前記検体の検査結果を報告する報告データを作成する報告データ作成工程と
を含むことを特徴とする多重検査方法。
【請求項２】
前記検体が採取された患者の履歴を参照する履歴参照工程と、
前記履歴参照工程において参照された前記患者の履歴に基づいて、希釈系列を作成する希釈系列作成工程と
を更に含み、
前記検査工程において、前記希釈系列作成工程において作成された希釈系列に基づいて検査が行われることを特徴とする請求項１記載の多重検査方法。
【請求項３】
検体の検査内容を示す検査指示情報を取得する検査指示情報取得手段と、
前記検査指示情報取得手段により取得された検査指示情報に含まれる検査項目と相関を有する全ての検査項目について多重に行われた検査結果を取得する検査結果取得手段と、
前記検査結果取得手段により取得された前記検査項目の各々の検査結果をそれぞれ比較することにより、検査結果を確定する検査結果確定手段と、
前記検査結果確定手段により確定された検査結果に基づいて、前記検体の検査結果を報告する報告データを作成する報告データ作成手段と
を備えることを特徴とする多重検査データ処理システム。
【請求項４】
前記検体が採取された患者の履歴を示す履歴情報を記憶する履歴情報記憶手段と、
前記履歴情報記憶手段に記憶されている履歴情報を参照する履歴情報参照手段と、
前記履歴情報参照手段により参照された前記履歴情報に基づいて、希釈系列作成するための希釈系列情報を出力する出力手段と
を更に備えることを特徴とする請求項３記載の多重検査データ処理システム。
【発明の詳細な説明】
【技術分野】
【０００１】
この発明は、血液、血漿、血清等の検体の検査を多重に行う多重検査方法及び多重検査により得られたデータを処理する多重検査データ処理システムに関するものである。
【背景技術】
【０００２】
従来、血液、血漿、血清等の検体は、医療機関等において採取され、試験管等の検体容器に収容されて検査機関に搬送される。検査機関においては、搬送された検体について受付処理を行った後に、検体を検体ラックに収容して保管し検査を行っている。即ち、まず、受付処理、例えば、検査機関に搬送された検体を収容した検体容器にラベル等の貼り付けが行われる。次に、受付処理が行われた検体は、検体ラックに収容され、例えば、検体ラックの収容部の位置番号とその検体ラックに保管されている検体の検体情報等を対応させることによって検体の検査や検体の保管等の処理が行われている（例えば、特許文献１参照）。
【０００３】
検体の検査が行われ、検査結果が取得された場合には、その検査結果の妥当性についての検討が行われる。即ち、検査結果として得られた値が異常か否かを判断し、異常であると判断された場合には、再度の検査を行い、再検査の検査結果と最初の検査結果とを比較することにより検査結果を確定する。そして、確定された検査結果が検査の依頼元である医療機関等に対して報告される。
【０００４】
なお、得られた検査結果に対して所定の判定理論に基づく再検査判定処理、例えば、線形判別式による２項目間チェックを施して再検査の有無を判定すると共に、再検査が行われた場合には、再検査の検査結果に基づいて再検査判定処理に用いる判定理論の修正を行う臨床検査システムが存在する（例えば、特許文献２参照）。この臨床検査システムは、検査結果として得られた値が異常であり再検査が必要と判定された場合に、最初の検査結果と再検査の検査結果とを比較し、再検査が必要との判定が適切であったか否かを判断する。そして、最初の検査結果と再検査の検査結果が同一であり、再検査が必要との判定が不適切であったと判断された場合には、再検査判定処理に用いられる判定理論を修正し判定理論を最適化している。
【０００５】
【特許文献１】特開平８−２８５８５５号公報
【特許文献２】特開２００２−２２７４８号公報
【発明の開示】
【発明が解決しようとする課題】
【０００６】
ところで、検査の依頼元である医療機関等においては、検査機関に依頼した検体の検査結果を医療内容を決定する際の判断資料として用いている。即ち、検体の検査結果に基づいて、医療機関等における医療内容、例えば、治療方法の選択、退院の判断等を行っており、検体の検査結果次第で医療機関等における医療内容が大きく左右される。従って、検体の検査結果を得るのが遅くなれば、その分医療内容の決定も遅くなることから、予め設定された時間、例えば、検体受領後１２時間以内等、指定時間以内に検体の検査結果が必ず得られることが望ましい。
【０００７】
しかし、従来の検査方法においては、初回の検査結果が通常の測定値に比べて異常に高い又は異常に低い等の場合には、再検査を行い初回の検査結果が検査手続のミスに基づく異常なのか否かの判断を行う必要がある。この時、例えば、通常アッセイ時間が８時間だとすれば、初回の検査結果に問題がなければ８時間程度で検査結果を得ることができるが、再検査が行われた場合には検査結果を得るまでに少なくとも１６時間以上の時間が必要になる。このように、検査結果を得るまでの時間が８時間か１６時間かは、医療機関等においては実質的に１日の差異を生じることになり、いつまでに検査結果を得ることができるかが不明確である場合には、診療予定を明確にすることができない。
【０００８】
この発明の課題は、予め設定された指定時間以内に確実に検査結果を得ることができる多重検査方法及び指定時間以内に確定された検査結果を必ず得ることができるように多重検査のデータを処理する多重検査データ処理システムを提供することである。
【課題を解決するための手段】
【０００９】
請求項１記載の多重検査方法は、検体の検査内容を示す検査指示情報を取得する検査指示情報取得工程と、前記検査指示情報取得工程において取得された検査指示情報に基づいて検体を分割する分割工程と、前記分割工程において分割された検体を用いて、前記検査指示情報に含まれる検査項目と相関を有する全ての検査項目について多重に検査を行う検査工程と、前記検査工程において多重に行われた前記検査項目の各々の検査結果をそれぞれ比較することにより検査結果を確定する検査結果確定工程と、前記検査結果確定工程において確定された検査結果に基づいて、前記検体の検査結果を報告する報告データを作成する報告データ作成工程とを含むことを特徴とする。
【００１０】
この請求項１記載の多重検査方法によれば、取得された検査指示情報に含まれている検査項目、即ち、依頼された検査項目と相関を有する全ての検査項目について行われた多重検査の検査結果をそれぞれ比較することにより検査結果を確定し、確定された検査結果に基づいて報告データを作成している。従って、精度の高い検査結果を検査の依頼元に対して報告することができると共に、予め設定された時間までに必ず検査結果を得ることができる。そのため、医療機関等における診療内容予定を明確にすると共に円滑な診療活動を行うことができる。
【００１１】
また、請求項２記載の多重検査方法は、前記検体が採取された患者の履歴を参照する履歴参照工程と、前記履歴参照工程において参照された前記患者の履歴に基づいて、希釈系列を作成する希釈系列作成工程とを更に含み、前記検査工程において、前記希釈系列作成工程において作成された希釈系列に基づいて検査が行われることを特徴とする。
【００１２】
この請求項２記載の多重検査方法によれば、検体を採取された患者の履歴に基づいて希釈系列が作成され、作成された希釈系列に基づいて検査が行われる。従って、例えば、患者の履歴により特定の検査項目に対して高値を示すことが示された場合には、作成された希釈系列に基づいて該検査項目の検査を行い、予め設定された所定の時間までに、確実に正確な検査結果を得ることができる。
【００１３】
また、請求項３記載の多重検査データ処理システムは、検体の検査内容を示す検査指示情報を取得する検査指示情報取得手段と、前記検査指示情報取得手段により取得された検査指示情報に含まれる検査項目と相関を有する全ての検査項目について多重に行われた検査結果を取得する検査結果取得手段と、前記検査結果取得手段により取得された前記検査項目の各々の検査結果をそれぞれ比較することにより、検査結果を確定する検査結果確定手段と、前記検査結果確定手段により確定された検査結果に基づいて、前記検体の検査結果を報告する報告データを作成する報告データ作成手段とを備えることを特徴とする。
【００１４】
この請求項３記載の多重検査データ処理システムによれば、取得された検査指示情報に含まれている検査項目と相関を有する全ての検査項目について行われた多重検査の検査結果を取得し、取得された各検査項目の検査結果をそれぞれ比較することにより検査結果を確定し、確定された検査結果に基づいて報告データを作成している。従って、指定された検査項目と相関を有する全ての検査項目に関する検査結果に基づいて検査結果を確定しているため、予め設定された所定の時間までに、精度の高い検査結果を必ず医療機関等に対して報告することができる。
【００１５】
また、請求項４記載の多重検査データ処理システムは、前記検体が採取された患者の履歴を示す履歴情報を記憶する履歴情報記憶手段と、前記履歴情報記憶手段に記憶されている履歴情報を参照する履歴情報参照手段と、前記履歴情報参照手段により参照された前記履歴情報に基づいて、希釈系列作成するための希釈系列情報を出力する出力手段とを更に備えることを特徴とする。
【００１６】
この請求項４記載の多重検査データ処理システムによれば、検体を採取された患者の履歴に基づいて、希釈系列を作成するための希釈系列情報が出力される。従って、例えば、患者の履歴により特定の検査項目に対して高値を示すことが示された場合には、出力された希釈系列情報に基づいて希釈された検体を作成し、この検体を用いて検査項目の検査を行うことができる。そのため、予め設定された所定の時間までに、確実に正確な検査結果を得ることができる。
【発明の効果】
【００１７】
この発明の多重検査方法によれば、取得された検査指示情報に含まれている検査項目、即ち、依頼された検査項目と相関を有する全ての検査項目について行われた多重検査の検査結果をそれぞれ比較することにより検査結果を確定し、確定された検査結果に基づいて報告データを作成している。従って、精度の高い検査結果を検査の依頼元に対して報告することができると共に、予め設定された時間までに必ず検査結果を得ることができる。そのため、医療機関等においては、診療内容の決定予定等を明確にすることができ、診療行為を円滑に進めることができる。
【００１８】
また、この発明の多重検査データ処理システムによれば、取得された検査指示情報に含まれている検査項目と相関を有する全ての検査項目について行われた多重検査の検査結果を取得し、取得された各検査項目の検査結果をそれぞれ比較することにより検査結果を確定し、確定された検査結果に基づいて報告データを作成している。従って、指定された検査項目と相関を有する全ての検査項目に関する検査結果に基づいて検査結果を確定しているため、予め設定された所定の時間までに、精度の高い検査結果を必ず医療機関等に対して報告することができる。そのため、医療機関等においては、医療内容を決定する際の資料として用いることができる正確な検査結果を、所定の時間までに確実に得ることができ、診療予定を明確にすることができる。
【発明を実施するための最良の形態】
【００１９】
以下、図面を参照してこの発明に係る多重検査データ処理システムの最良の実施の形態について説明する。なお、以下においては、多重検査方法により得られたデータを処理する場合を例として説明する。
【００２０】
図１は、この発明の実施の形態に係る多重検査データ処理システムを含むシステム全体のブロック構成図である。多重検査データ処理システム２は、検体の検査を行う検査機関等に設置されており、ネットワーク４を介して各医療機関にそれぞれ設置されている医療機関システム６ａ、６ｂ、６ｃとそれぞれ接続されている。
【００２１】
図２は、この発明の第１の実施の形態に係る多重検査データ処理システム２のブロック構成図である。多重検査データ処理システム２は、図２に示すように、多重検査データ処理システムにおけるデータの処理を制御するデータ制御部１０を備えている。このデータ制御部１０には、医療機関システム６ａ、６ｂ、６ｃとの間の通信を制御する通信制御部１２及び検査機関において行われた検体の検査結果等を入力する入力部１４が接続されている。また、データ制御部１０には、入力部１４を介して入力された検体の検査結果等を記憶するデータ記憶部１６及び検体が採取された患者の履歴情報を記憶している履歴情報記憶部１８が接続されている。また、データ制御部１０には、データ記憶部１６に記憶された検査結果等を出力する出力部２０が接続されている。
【００２２】
データ記憶部１６には、検体情報、例えば、検体を識別するための検体識別番号、検査の依頼元である医療機関の名称や医療機関を識別するための医療機関識別情報等を含む医療機関情報、検体を採取された患者の氏名や性別等を含む患者情報及び依頼された検査内容を示す検査指示情報が記憶される。また、データ記憶部１６には、関連項目データ、即ち、各検査項目毎に相関を有する他の検査項目を示したデータが記憶されている。この関連項目データにより、例えば、任意の検査項目について、該検査項目の測定値が高値となっている場合に、比例して高値を示す検査項目や、反比例して低値を示す検査項目等が示される。例えば、検査項目「黄体形成ホルモン」と相関を有する検査項目として、「卵胞刺激ホルモン」、「血中エストリオール」、「テストステロン」、「エストラジオール」及び「ＨＣＧ−βサブユニット」等が記憶されている。
【００２３】
また、履歴情報記憶部１８には、履歴情報、即ち、検体が採取された患者の履歴を示すデータが記憶されている。この履歴情報には、検体が採取された患者について行われた過去の検査結果や、患者の病歴等を示すデータなどが含まれている。
【００２４】
次に、図３のフローチャートを参照して、この発明の第１の実施の形態に係る多重検査データ処理システムにおける処理について説明する。なお、以下においては、検査機関システム６ａが設置されている医療機関から検体の検査が依頼された場合を例として説明する。
【００２５】
まず、医療機関において患者から採取された検体が検査機関に搬入され、検査機関において受付処理、例えば、搬入された検体と検査が依頼された検体とが一致しているか否かの確認等の処理が行われ、所定の検体ラック等に収容され検査に備えて保管される。
【００２６】
次に、各検体の検体情報を多重検査データ処理システム２において取得する（ステップＳ１０）。例えば、医療機関システム６ａからネットワーク４を介して送信された検体情報を、通信制御部１２を介して受信することにより検体情報を取得する。なお、検体の受付処理を行う際に、検体と共に検体容器に収容されているＩＣタグからＩＣタグリーダを介して読み取られた検体情報を、通信制御部１２を介して受信し検体情報を取得するようにしてもよい。また、受付処理の際に、図示しない受付システム等に検体情報が入力された場合には、受付システムから送信される検体情報を通信制御部１２を介して受信することにより検体情報を取得するようにしてもよい。取得された検体情報は、データ記憶部１６に記憶される。
【００２７】
次に、取得された検体情報に含まれている検査指示情報に基づいて検体の検査が行われる。検体の検査には２つのパターンが存在し、選択されたパターンにより検査が行われる。第１のパターンは、検体情報に含まれている検査指示情報により示される検査項目について、検査項目毎に多重に検査を行うパターンである。例えば、検査指示情報により検査項目「卵胞刺激ホルモン」の検査が指示されている場合には、受付処理が終了した検体を２つに分割し、分割された２つの検体を用いて検査項目「卵胞刺激ホルモン」についての２つの検査を同時に同一の条件で行う。ここで、同一の条件とは、例えば、同一の保存状況において検体を保存し、同一のロットの検査試薬を用いて同一の検査方法により同一の検査項目「卵胞刺激ホルモン」についての検査を行うことを意味する。なお、２つに分割された検体を用いて「卵胞刺激ホルモン」という項目についての２つの検査を同時に異なる条件で行うようにしてもよい。即ち、異なるロットの検査試薬を用いて異なる検査方法により、又は、同一のロットの検査試薬を用いて異なる検査方法により同一の検査項目「卵胞刺激ホルモン」についての２つの検査を行うようにしてもよい。また、受付処理が終了した検体を３つに分割し、分割された検体を用いて「卵胞刺激ホルモン」という項目の３つの検査を同時に同一の条件で、又は、同時に異なる条件で行うようにしてもよい。検査項目「卵胞刺激ホルモン」について多重に行われた検査の検査結果は、例えば、測定１、測定２として検査の処理を支援する図示しない検査支援システム等において記録される。
【００２８】
また、第２のパターンは、検体情報に含まれている検査指示情報により示される検査項目について、該検査項目と相関を有する全ての検査項目についての検査を同時に行うパターンである。例えば、検査指示情報により検査項目「黄体形成ホルモン」の検査が指示されている場合には、データ記憶部１６に記憶されている関連項目データの中から、検査項目「黄体形成ホルモン」と相関を有する検査項目を示すデータを抽出する。即ち、検査項目「黄体形成ホルモン」と相関を有する検査項目、例えば、「卵胞刺激ホルモン」、「血中エストリオール」、「テストステロン」、「エストラジオール」及び「ＨＣＧ−βサブユニット」等の項目が抽出される。次に、「黄体形成ホルモン」、「卵胞刺激ホルモン」、「血中エストリオール」、「テストステロン」、「エストラジオール」及び「ＨＣＧ−βサブユニット」の検査を行うために検体を６つに分割する。そして、分割された６の検体を用いて、「黄体形成ホルモン」、「卵胞刺激ホルモン」、「血中エストリオール」、「テストステロン」、「エストラジオール」及び「ＨＣＧ−βサブユニット」の検査を行う。ここで、上記の検体の検査は同時に行われ、検査結果が図示しない検査支援システム等に記憶される。なお、上述の場合には、全検査項目として６つの検査項目が挙がっているが、検体を１２分割し、上記各検査項目の検査を多重で行うようにしてもよい。各検査項目について多重に検査が行われた場合には、例えば、「黄体形成ホルモン」測定１、「黄体形成ホルモン」測定２、「卵胞刺激ホルモン」測定１、「卵胞刺激ホルモン」測定２、…、「ＨＣＧ−βサブユニット」測定１、「ＨＣＧ−βサブユニット」測定２として検査結果が図示しない検査支援システム等において記録される。
【００２９】
次に、検体について行われた検査の結果を取得する（ステップＳ１１）。例えば、検査が行われた検体の検体識別番号及び検査結果を入力部１４を介して入力することにより検体の検査結果を取得する。ここで、検査指示情報により指示された検査項目についての検査が多重に行われた場合には、多重に行われた検査結果を、例えば、測定１、測定２等とし、それぞれの検査結果を識別可能な状態で取得する。また、相関を有する全ての検査項目についての検査が行われた場合には、各検査項目に対する検査結果をそれぞれ識別可能な状態で取得する。なお、検査の処理を支援する検査支援システム（図示せず）において検査結果が記録されている場合には、検査支援システムから送信される検査結果を通信制御部１２を介して受信することにより検査結果を取得するようにしてもよい。また、取得された検査結果は、検体情報に対応させてデータ記憶部１６に記憶される。
【００３０】
次に、データ記憶部１６に記憶されている検査結果に基づいて検査結果を確定する（ステップＳ１２）。例えば、第１のパターンにより検体の検査が行われた場合には、データ記憶部１６に記憶されている検査項目「卵胞刺激ホルモン」の検査結果である測定１と測定２との値を比較し、検査結果を確定する。即ち、検査項目「卵胞刺激ホルモン」の測定１の値が異常に高くなっている場合であっても、測定２の値も同様に異常に高くなっていれば、検査手法等には誤りがなく測定された値が正確な検査結果であることが確定される。また、第２のパターンにより検体の検査が行われた場合には、データ記憶部１６に記憶されている検査項目「黄体形成ホルモン」の検査結果と、検査項目「黄体形成ホルモン」と相関を有する他の検査項目の検査結果とを比較することにより「黄体形成ホルモン」の検査結果を確定する。例えば、「黄体形成ホルモン」の測定値が高くなると、「テストステロン」の測定値も高くなることが明らかになっている場合には、「黄体形成ホルモン」の測定値と共に「テストステロン」の測定値も高くなっているか否かを確認することにより、「黄体形成ホルモン」の検査結果を確定することができる。なお、検査結果が確定された場合には、確定された検査結果の値が確定結果としてデータ記憶部１６に記憶される。
【００３１】
次に、データ記憶部１６に記憶されている検体情報及び確定結果に基づいて、検査の依頼元である医療機関に対して検査結果を報告するための報告データを作成する（ステップＳ１３）。例えば、データ記憶部１６に記憶されている検体情報に基づいて、検体が採取された患者の氏名及び検査指示情報により示された検査項目等を含む書誌データを作成する。そして、作成された書誌データとデータ記憶部１６に記憶されている確定結果とを対応させることにより医療機関に検査結果を報告するための報告データが作成される。
【００３２】
次に、検査結果（確定結果）を医療機関に対して報告するために作成された報告データを履歴情報記憶部１８に記憶する（ステップＳ１４）と共に、医療機関に対して検査結果を報告すべく、通信制御部１２を介して作成された報告データを検査の依頼元である医療機関に設置されている医療機関システム６ａに対して送信する（ステップＳ１５）。
【００３３】
この発明の第１の実施の形態に係る多重検査データ処理システムによれば、検査指示情報により示された検査項目について多重に検査を行い、それぞれの測定結果を比較して検査結果を確定し確定された検査結果を医療機関に報告している。従って、当初から多重に検査を行うことにより、予め設定された所定の時間までに医療機関に対して確実に検査結果を報告することができる。そのため、医療機関においては、診療内容に関する予定を的確に実行することができ、円滑な診療活動を実現することができる。
【００３４】
また、この発明の第１の実施の形態に係る多重検査データ処理システムによれば、当初から多重に行われた検査の結果を得ているため、検査結果を確定するまでに必要な時間を短縮することができる。例えば、初回の検査結果を得た後に、再検査の必要性を判断している場合、初回の検査結果のみでは、得られた値が検査ミス等により異常に高く（低く）なっているのか否かを判断することができず、再検査の検査結果が得られるまで検査結果の確定を待たなければならない。その一方、上述の多重検査データ処理システムによれば、同時に２つの検査結果を得ることにより、迅速に検査結果を確定することができ、検査結果を確定するまでに必要な時間を大幅に短縮することができる。
【００３５】
また、この発明の第１の実施の形態に係る多重検査データ処理システムによれば、検査内容により示された検査項目と相関を有する他の全ての検査項目について検査結果を得ることができるため、指定された検査項目の検査結果と他の検査項目の検査結果とを比較することにより、的確に指定された検査項目の検査結果を確定することができる。従って、予め設定された時刻までに的確な検査結果を必ず得ることができ、医療機関における診療内容の判断予定等を明確にすることができる。
【００３６】
なお、上述の第１の実施の形態に係る多重検査データ処理システムによれば、「黄体形成ホルモン」と相関を有する検査項目として、「卵胞刺激ホルモン」、「血中エストリオール」、「テストステロン」、「エストラジオール」及び「ＨＣＧ−βサブユニット」を示しているが、その他の検査項目を含んでいてもよい。即ち、任意の検査項目に対して何れの検査項目が相関を有するかを示す関連データは、検査機関において任意に作成することができるため、上記以外の検査項目が「黄体形成ホルモン」と相関を有する検査項目に含まれていてもよい。
【００３７】
次に、図４のフローチャートを参照して、この発明の実施の第２の形態に係る多重検査データ処理システムにおける多重検査データの処理について説明する。なお、この第２の実施の形態に係る多重検査データ処理システムは、第１の実施の形態に係る多重検査データ処理システムと同一の構成であるため説明を省略する。また、以下においては、検査機関システム６ａが設置されている医療機関から検体の検査が依頼された場合を例として説明する。
【００３８】
まず、医療機関から搬入された検体の受付処理を行い、受付処理が行われた検体の検体情報を取得する（ステップＳ２０）。そして、取得された検体情報をデータ記憶部１６に記憶する。なお、上述の受付処理及び検体情報を取得する処理は、第１の実施の形態に係る処理と同様の処理であるため詳細な説明を省略する。
【００３９】
次に、上述のステップＳ２０において取得された検体情報に含まれている患者情報に基づいて、該患者の履歴情報を参照する（ステップＳ２１）。即ち、患者情報に含まれている患者の氏名等に基づいて、例えば、履歴情報記憶部１８に記憶されている過去の報告データの中から、該患者の氏名等を書誌データに含む報告データを検索する。そして、検索された報告データを、例えば、出力部２０を介して出力し、出力された過去の報告データを履歴情報として参照する。
【００４０】
参照された履歴情報に基づいて、高値を示す検査項目が存在しないことが示された場合には（ステップＳ２２）、ステップＳ２５に進む。
【００４１】
一方、高値を示す検査項目が存在する場合には（ステップＳ２２）、検査の希釈系列情報を作成する（ステップＳ２３）。例えば、検体を採取された患者が検査項目「黄体形成ホルモン」について高値を示すことが、ステップＳ２１において参照された履歴情報に基づいて明らかとなった場合には、検査項目「黄体形成ホルモン」の検査を的確に行うことができるように希釈系列を作成するための希釈系列情報を作成する。即ち、特定の検査項目について高値を示すことが明らかになっている場合、通常の検査では正確な検査結果を得ることができない可能性がある。そのため、検査項目について正確な測定結果を得るために予め、検体を１０倍、１００倍、１０００倍等に希釈して検査を行うための希釈系列を作成するための希釈系列情報が作成され、作成された希釈系列情報がデータ記憶部１６に記憶される。
【００４２】
次に、データ記憶部１６に記憶されている希釈系列情報を出力部２０を介して出力する（ステップＳ２４）。例えば、出力部２０がプリンタ等の印刷機器により構成されている場合には、データ記憶部１６に記憶されている希釈系列情報を出力部２０を介して印刷することにより、希釈系列を作成するための希釈系列情報を出力する。
【００４３】
次に、上述のステップＳ２０において取得された検体情報に含まれる検査指示情報に基づいて、検体の検査が行われる。検体の検査は、検体情報に含まれている検査指示情報により示される検査項目について、検査項目毎に多重に検査を行う第１のパターン、又は、指示された検査項目と相関を有する全ての検査項目についての検査を行う第２のパターンのどちらかのパターンにより行われる。ここで、ステップＳ２４において希釈系列情報が出力されている場合には、検査指示情報及び出力された希釈系列情報に基づいて検体の検査が行われる。例えば、出力された希釈系列情報に基づいて、１０倍、１００倍及び１０００倍に希釈された検体を作成し、希釈された検体を用いて検査指示情報により示される検査項目について第１のパターン又は第２のパターンにより検査が行われる。そして、検査の処理を支援する図示しない検査支援システム等に検査結果が記録される。なお、上述の検査方法は、第１の実施の形態における検査のパターンと同様のパターンであるため、詳細な説明は省略する。
【００４４】
次に、検体について行われた検査の検査結果を取得し（ステップＳ２５）、取得された検査結果をデータ記憶部１６に記憶する。そして、データ記憶部１６に記憶されている検査結果に基づいて、検査指示情報により示された検査項目の検査結果を確定する（ステップＳ２６）。なお、確定された検査結果は、確定結果としてデータ記憶部１６に記憶される。
【００４５】
次に、データ記憶部１６に記憶されている検体情報及び確定結果に基づいて、検査の依頼元である医療機関に対して検査結果を報告するための報告データを作成する（ステップＳ２７）。そして、作成された報告データを履歴情報記憶部１８に記憶する（ステップＳ２８）と共に、通信制御部１２を介して作成された報告データを検査の依頼元である医療機関に設置されている医療機関システム６ａに対して送信する（ステップＳ２９）。上述のステップＳ２５〜ステップＳ２９の処理は、上述の第１の実施の形態におけるステップＳ１１〜ステップＳ１５と同様の処理であるため、詳細な説明を省略する。
【００４６】
この発明の第２の実施の形態に係る多重検査データ処理システムは、患者の履歴を参照し、高値を示す検査項目が存在する場合には、出力された希釈系列情報に基づいて検体を希釈し、希釈された検体を用いて行われた検査の検査結果を得ている。従って、初回の検査を行った後に、検体を希釈して再検査を行う場合と異なり、予め指定された時間までに確実に検査結果を得ることができると共に正確な検査結果を得ることができる。そのため、医療機関において診療内容を決定する資料として用いられる検査結果として精度の高い検査結果を提供することができると共に、医療機関における診療内容を決定する予定等を明確にすることができる。
【００４７】
なお、上述の第２の実施の形態に係る多重検査データ処理システムによれば、患者の履歴情報を参照し、高値を示す検査項目が存在する場合に希釈系列情報を作成し出力しているが、その他の情報を参照して希釈系列情報を作成し出力するようにしてもよい。例えば、検体情報と共に、患者の健康状態等を示す臨床情報を取得し、取得された臨床情報を参照し希釈系列情報を作成するようにしてもよい。この場合には、臨床情報に基づいて患者が特定の疾患を有している可能性が高いことが明らかになった場合に、該疾患を有している場合に高値を示す検査項目についての希釈系列情報を作成することができる。
【００４８】
上述の実施の形態に係る多重検査方法によれば、指定された検査項目についての検査を予め多重に行うパターン、又は、指定された検査項目及び該検査項目と相関を有する検査項目についての検査を行うパターンのどちらかに基づいて検査を行うことができる。また、患者の履歴情報を参照して作成された希釈系列情報に基づいて検体を希釈し、希釈された検体を用いて検査を行うことができる。従って、予め設定された指定時間までに確実に検体の検査結果を得ることができ、医療機関に対して検査結果を得ることができる時間又は検査結果の報告時間を明確に提示することができる。そのため、医療機関においては、診療内容の決定予定等を明確にすることができ、診療行為を円滑に進めることができる。
【００４９】
また、上述の実施の形態に係る多重検査データ処理システムによれば、多重検査方法により得られた検査結果をそれぞれ比較することにより依頼された検査の検査結果を確定し、確定された確定結果に基づいて依頼された検査の検査結果を医療機関に報告するための報告データを作成している。従って、医療機関に対して、予め設定された時間までに精度の高い検査結果を確実に報告することができる。
【００５０】
なお、上述の実施の形態に係る多重検査方法においては、受け付けられた検体を所定の数に分割して、即ち、指定された検査項目が１つの場合には、受け付けられた検体を２つに分割して検査を行っているが、予備の検体を保管するようにしてもよい。例えば、検査項目が１つの場合であっても、検体を３つに分割し、分割された検体のうち２つを用いて１つの検査項目について同時に２つの測定を行い、残る１つを予備として保管するようにしてもよい。
【００５１】
また、上述の実施の形態に係る多重検査データ処理システムにおいては、作成された報告データをネットワークを介して医療機関システムに送信することにより、検査結果を報告しているが、報告データに基づく報告書を出力部を介して出力するようにしてもよい。即ち、出力部を介して出力された検査結果の報告書を、医療機関に送り届けることによって検査結果を報告するようにしてもよい。
【図面の簡単な説明】
【００５２】
【図１】この発明の実施の形態に係る多重検査データ処理システムを含むシステム全体のブロック構成図である。
【図２】この発明の実施の形態に係る多重検査データ処理システムのブロック構成図である。
【図３】この発明の第１の実施の形態に係る多重検査データの処理を説明するためのフローチャートである。
【図４】この発明の第２の実施の形態に係る多重検査データの処理を説明する他のフローチャートである。
【符号の説明】
【００５３】
２…多重検査データ処理システム、４…ネットワーク、６ａ、６ｂ、６ｃ…医療機関システム、１０…データ制御部、１２…通信制御部、１４…入力部、１６…データ記憶部、１８…履歴情報記憶部、２０…出力部。
【図１】
2005098850.tif 000003
【図２】
2005098850.tif 000004
【図３】
2005098850.tif 000005
【図４】
2005098850.tif 000006